(57)【要約】【課題】取付孔の直径に幅がある場合であっても、簡単かつ確実に取付孔を閉塞する水栓を提供する。【解決手段】水栓本体が、該水栓本体の底部に配置されて取付基体の上部から取付基体の取付孔への水の浸入を抑制する円環状のシール部と、シール部より内側に位置し取付基体の取付孔に挿通されるリブとを備え、複数の通水管および水栓本体のリブが、複数の通水管の少なくともいずれか１本および水栓本体のリブと外接する仮想外接円の内側に配置され、水栓本体のシール部の直径が、取付基体の取付孔の直径より大きく、仮想外接円の直径が、取付基体の取付孔の直径より小さく、水栓本体のシール部が取付基体の取付孔と上面視において内接した状態では、複数の通水管の少なくともいずれか１本または水栓本体のリブが、取付基体の取付孔と接触し、水栓本体が、外観を形成する外筒部材と、リブを有する内筒部材とを有している。【選択図】図６
2020169566.tif 000002
【特許請求の範囲】
【請求項１】
吐水口を有する水栓本体および該水栓本体に一端が接続され他端が取付基体の取付孔に挿通される複数の通水管を備え、前記取付基体に固定された水栓であって、
前記水栓本体が、該水栓本体の底部に配置されて前記取付基体の上部から前記取付基体の取付孔への水の浸入を抑制する円環状のシール部と、前記シール部より内側に位置し前記取付基体の取付孔に挿通されるリブとを備え、
前記複数の通水管および前記水栓本体のリブが、前記複数の通水管の少なくともいずれか１本および前記水栓本体のリブと外接する仮想外接円の内側に配置され、
前記水栓本体のシール部の直径が、前記取付基体の取付孔の直径より大きく、
前記仮想外接円の直径が、前記取付基体の取付孔の直径より小さく、
前記水栓本体のシール部が前記取付基体の取付孔と上面視において内接した状態では、前記複数の通水管の少なくともいずれか１本または前記水栓本体のリブが、前記取付基体の取付孔と接触し、
前記水栓本体が、外観を形成する外筒部材と、前記リブを有する内筒部材とを有していることを特徴とする水栓。
【請求項２】
さらに前記取付基体の下側に固定プレートと、
前記複数の通水管のいずれか１本と螺合する締結部材とを備え、
前記固定プレートが、前記複数の通水管のいずれか１本と前記締結部材との螺合によって前記取付基体に押圧されていることを特徴とする請求項１に記載の水栓。
【請求項３】
吐水口を有する水栓本体と該水栓本体に一端が接続され他端が取付基体の取付孔に挿通される複数の通水管および中実の固定棒とを備え、前記取付基体に固定された水栓であって、
前記水栓本体が、該水栓本体の底部に配置されて前記取付基体の上部から前記取付基体の取付孔への水の浸入を抑制する円環状のシール部と、前記シール部より内側に位置し前記取付基体の取付孔に挿通されるリブとを備え、
前記複数の通水管および中実の固定棒と前記水栓本体のリブとが、前記複数の通水管および中実の固定棒の少なくともいずれか１本または前記水栓本体のリブと外接する仮想外接円の内側に配置され、
前記水栓本体のシール部の直径が、前記取付基体の取付孔の直径より大きく、
前記仮想外接円の直径が、前記取付基体の取付孔の直径より小さく、
前記水栓本体のシール部が前記取付基体の取付孔と上面視において内接した状態では、前記複数の通水管および中実の固定棒の少なくともいずれか１本または前記水栓本体のリブが、前記取付基体の取付孔と接触し、
前記水栓本体が、外観を形成する外筒部材と、前記リブを有する内筒部材とを有していることを特徴とする水栓。
【請求項４】
さらに前記取付基体の下側に固定プレートと、
前記複数の通水管および中実の固定棒のいずれか１本と螺合すると締結部材とを備え、
前記固定プレートが、前記複数の通水管および中実の固定棒のいずれか１本と前記締結部材との螺合によって前記取付基体に押圧されていることを特徴とする請求項３に記載の水栓。
【請求項５】
前記水栓本体のリブが、複数形成されていることを特徴とする請求項１乃至請求項４のいずれか１つに記載の水栓。
【発明の詳細な説明】
【技術分野】
【０００１】
本発明は、吐水口を有する水栓本体および該水栓本体に一端が接続され他端が取付基体の取付孔に挿通される複数の通水管を備え、取付基体に固定される水栓に関する。
【背景技術】
【０００２】
従来、ハンドル操作により湯、水、湯水混合水、浄水を切り換えて吐出可能な湯水混合水栓が知られている（例えば、特許文献１）。
このような湯水混合水栓は、水栓本体に予め複数の通水管を取り付けた状態で工場から出荷される。
そして、施工現場ではカウンター等の取付基体に形成された取付孔に湯水混合水栓の通水管を挿通させると共に取付基体の下側に固定プレートを取り付けることで、湯水混合水栓を取付基体に固定する。
【０００３】
また、取付基体の上部の水が取付基体の取付孔を介して取付基体の下方に漏れないために、取付基体の取付孔を水栓本体によって閉塞している。
これにより、水栓本体の取付基体と接触する面に形成されたシール部の内側に取付孔が位置することになり、シール部が取付基体の取付孔と取付基体とを仕切るため、取付基体の上部の水が取付孔に侵入することを防いでいる。
【先行技術文献】
【特許文献】
【０００４】
【特許文献１】特開２０１２−３６６１１号公報
【発明の概要】
【発明が解決しようとする課題】
【０００５】
取付基体の取付孔を湯水混合水栓によって閉塞するためには、湯水混合水栓のシール部内に取付基体の取付孔が配置されるように湯水混合水栓を取付基体上に配置する必要がある。
ここで、取付孔の直径は規格化されているものの、ある程度の幅を持ったものであり、湯水混合水栓を配置する位置の調整には微調整が必要であり、ある程度の熟練を要するものであった。
【０００６】
そこで、本発明は、前述したような従来技術の問題を解決するものであって、すなわち、本発明の目的は、取付孔の直径に幅がある場合であっても、簡単かつ確実に取付孔を閉塞する水栓を提供することである。
【課題を解決するための手段】
【０００７】
請求項１に係る発明は、吐水口を有する水栓本体および該水栓本体に一端が接続され他端が取付基体の取付孔に挿通される複数の通水管を備え、前記取付基体に固定された水栓であって、前記水栓本体が、該水栓本体の底部に配置されて前記取付基体の上部から前記取付基体の取付孔への水の浸入を抑制する円環状のシール部と、前記シール部より内側に位置し前記取付基体の取付孔に挿通されるリブとを備え、前記複数の通水管および前記水栓本体のリブが、前記複数の通水管の少なくともいずれか１本および前記水栓本体のリブと外接する仮想外接円の内側に配置され、前記水栓本体のシール部の直径が、前記取付基体の取付孔の直径より大きく、前記仮想外接円の直径が、前記取付基体の取付孔の直径より小さく、前記水栓本体のシール部が前記取付基体の取付孔と上面視において内接した状態では、前記複数の通水管の少なくともいずれか１本または前記水栓本体のリブが、前記取付基体の取付孔と接触し、前記水栓本体が、外観を形成する外筒部材と、前記リブを有する内筒部材とを有していることにより、前述した課題を解決するものである。
このように構成された請求項１に係る発明の水栓によれば、水栓本体のシール部の直径が、取付基体の取付孔の直径より大きいことにより、水栓本体のシール部の中心と取付孔の中心とが一致しているような理想的な状態では、水栓本体によって取付孔が閉塞される。そして、水栓本体のシール部の中心と取付孔の中心とが偏心した場合であっても、基本的には水栓本体によって取付孔が閉塞される。
また、水栓本体のシール部が取付基体の取付孔と上面視において内接した状態では、複数の通水管の少なくともいずれか１本または水栓本体のリブが、取付基体の取付孔と接触することにより、水栓本体のシール部の中心と取付孔の中心とが、水栓本体のシール部と取付基体の取付孔とが上面視において内接する程度以上に偏心しない。
したがって、取付孔の中心と水栓本体のシール部の中心とが偏心している場合であったり、取付孔の直径に幅がある場合であったりしたとしても、簡単かつ確実に取付孔を水栓本体により閉塞することができる。
【０００８】
請求項２に係る発明は、請求項１に記載された水栓の構成に加えて、さらに前記取付基体の下側に固定プレートと、前記複数の通水管のいずれか１本と螺合する締結部材とを備え、前記固定プレートが、前記複数の通水管のいずれか１本と前記締結部材との螺合によって前記取付基体に押圧されていることにより、前述した課題を解決するものである。
このように構成された請求項２に係る発明の水栓によれば、請求項１に係る発明が奏する効果に加え、固定プレートが、複数の通水管のいずれか１本と締結部材との螺合によって取付基体に押圧されていることにより、取付基体が、水栓本体と固定プレートとにより挟圧される、すなわち複数の通水管のいずれか１本を利用して水栓本体が取付基体に固定されるため、水栓本体の取付基体への固定構造を隠蔽することができると共に水栓本体の外径を大きくすることなく水栓本体を取付基体に固定することができる。
【０００９】
請求項３に係る発明は、吐水口を有する水栓本体と該水栓本体に一端が接続され他端が取付基体の取付孔に挿通される複数の通水管および中実の固定棒とを備え、前記取付基体に固定された水栓であって、前記水栓本体が、該水栓本体の底部に配置されて前記取付基体の上部から前記取付基体の取付孔への水の浸入を抑制する円環状のシール部と、前記シール部より内側に位置し前記取付基体の取付孔に挿通されるリブとを備え、前記複数の通水管および中実の固定棒と前記水栓本体のリブとが、前記複数の通水管および中実の固定棒の少なくともいずれか１本または前記水栓本体のリブと外接する仮想外接円の内側に配置され、前記水栓本体のシール部の直径が、前記取付基体の取付孔の直径より大きく、前記仮想外接円の直径が、前記取付基体の取付孔の直径より小さく、前記水栓本体のシール部が前記取付基体の取付孔と上面視において内接した状態では、前記複数の通水管および中実の固定棒の少なくともいずれか１本または前記水栓本体のリブが、前記取付基体の取付孔と接触し、前記水栓本体が、外観を形成する外筒部材と、前記リブを有する内筒部材とを有していることにより、前述した課題を解決するものである。
このように構成された請求項３に係る発明の水栓によれば、水栓本体のシール部の直径が、取付基体の取付孔の直径より大きいことにより、水栓本体のシール部の中心と取付孔の中心とが一致しているような理想的な状態では、水栓本体によって取付孔が閉塞される。そして、水栓本体のシール部の中心と取付孔の中心とが偏心した場合であっても、基本的には水栓本体によって取付孔が閉塞される。
また、水栓本体のシール部が取付基体の取付孔と上面視において内接した状態では、複数の通水管および中実の固定棒の少なくともいずれか１本または水栓本体のリブが、取付基体の取付孔と接触することにより、水栓本体のシール部の中心と取付孔の中心とが、水栓本体のシール部と取付基体の取付孔とが上面視において内接する程度以上に偏心しない。
したがって、取付孔の中心と水栓本体のシール部の中心とが偏心している場合であったり、取付孔の直径に幅がある場合であったりしたとしても、取付孔を水栓本体により閉塞することができる。
【００１０】
請求項４に係る発明は、請求項３に記載された水栓の構成に加えて、さらに前記取付基体の下側に固定プレートと、前記複数の通水管および中実の固定棒のいずれか１本と螺合すると締結部材とを備え、前記固定プレートが、前記複数の通水管および中実の固定棒のいずれか１本と前記締結部材との螺合によって前記取付基体に押圧されていることにより、前述した課題を解決するものである。
このように構成された請求項４に係る発明の水栓によれば、請求項３に係る発明が奏する効果に加え、固定プレートが、複数の通水管および中実の固定棒のいずれか１本と締結部材との螺合によって取付基体に押圧されていることにより、取付基体が、水栓本体と固定プレートとにより挟圧される、すなわち複数の通水管および中実の固定棒のいずれか１本を利用して水栓本体が取付基体に固定されるため、水栓本体の取付基体への固定構造を隠蔽することができると共に水栓本体の外径を大きくすることなく水栓本体を取付基体に固定することができる。
【００１１】
請求項５に係る発明は、請求項１乃至請求項４のいずれか１つに記載された水栓の構成に加えて、前記水栓本体のリブが、複数形成されていることにより、前述した課題を解決するものである。
このように構成された請求項５に係る発明の水栓によれば、請求項１乃至請求項４のいずれか１つに係る発明が奏する効果に加え、水栓本体のリブが、複数形成されていることにより、通水管が自らの弾性により仮想外接円より内側に変形したとしても、水栓本体のシール部と取付基体の取付孔とが上面視において内接した状態においても水栓本体に形成された複数のリブが取付基体の取付孔と当接するため、確実に取付孔を水栓本体により閉塞することができる。
【００１２】
請求項６に係る発明は、請求項１乃至請求項５のいずれか１つに記載された水栓の構成に加えて、前記水栓本体が、外観を形成する外筒部材と、前記リブを有する内筒部材とを有していることにより、前述した課題を解決するものである。
このように構成された請求項６に係る発明の水栓によれば、請求項１乃至請求項５のいずれか１つに係る発明が奏する効果に加え、水栓本体が、外観を形成する外筒部材と、リブを有する内筒部材とを有していることにより、水栓の機能部が内筒部材に配置されるようになるため、外筒部材の形状を容易変更にすることができる。
【発明の効果】
【００１３】
本発明によれば、取付孔の直径に幅がある場合であっても、簡単かつ確実に取付孔を閉塞する水栓を提供することができる。
【図面の簡単な説明】
【００１４】
【図１】本発明の実施形態である水栓の斜視外観図。
【図２】本発明の実施形態である水栓の斜視分解図。
【図３】本発明の実施形態である水栓の流路構成図。
【図４】本発明の実施形態である水栓の要部側面断面図。
【図５】従来例の水栓のカウンターに対する位置関係を示す図。
【図６】本発明の実施形態である水栓のカウンターに対する理想的な位置関係（Ａ）、水栓のカウンターに対する偏った位置関係（Ｂ）。
【図７】本発明の実施形態の変形例である浄水なし仕様の水栓の斜視分解図。
【発明を実施するための形態】
【００１５】
以下、図１乃至図７に基づいて、本発明の実施形態について説明する。
【００１６】
＜１．概要＞
はじめに、図１および図２を用いて、水栓１００の概要を説明する。
図１は本発明の実施形態である水栓の斜視外観図であり、図２は本発明の実施形態である水栓の斜視分解図である。
【００１７】
図１に示すように、本発明の実施形態である水栓１００は、主にキッチンのカウンター（取付基体）Ｃに設置されるものであり、水、湯、湯水混合水および浄水を吐水する。
水栓１００は、カウンターＣ上に配置される水栓本体１１０と、この水栓本体１１０に一端が接続され他端がカウンターＣの取付孔Ｈに挿通される複数の通水管１２０と、カウンターＣの下に設置され浄水を生成する浄水カートリッジ１３０とを備えている。
さらに、水栓本体１１０をカウンターＣに固定するための固定プレート１４０をカウンターＣの下側に備えており、これにより水栓１００はカウンターＣに固定されている。
【００１８】
図２に示すように、水栓本体１１０は、外観を形成する外筒部材１１１と、一端がこの外筒部材１１１に挿入され他端がカウンターＣに載置される円筒状の内筒部材１１２とを備えている。
【００１９】
外筒部材１１１の外観は、側面視でＬ字状であり、正面視で十字状である。
外筒部材１１１の先端は、吐水ヘッド１１３と接続されており、吐水ヘッド１１３は外筒部材１１１から引き出し自在となっている。
また、吐水ヘッドの先端には吐水口１１３ａが形成されており、この吐水口１１３ａから水、湯、湯水混合水および浄水を吐水する。
【００２０】
外筒部材１１１の正面視右側方には後述する湯水混合弁１１４の開度を調整するレバー状の湯水混合弁操作部１１４ａが取り付けられている。
この湯水混合弁操作部１１４ａを操作することで、吐水口１１３ａから吐水される水の温度や流量が調整される。
一方、外筒部材１１１の正面視左側方には後述する浄水流調弁１１５の開度を調整する回転ハンドル状の浄水流調弁操作部１１５ａが取り付けられている。
この浄水流調弁操作部１１５ａを操作することで、吐水口１１３ａから吐水される浄水の流量が調整される。
【００２１】
内筒部材１１２には、鉛直下方から給水管１２１、給湯管１２２および混合水管１２３が挿通されて、それぞれ固定されている。
また、原水管１２４は鉛直上方から内筒部材１１２に挿入される。
なお、内筒部材１１２の底部の構造については、後に詳述する。
【００２２】
＜２．流路構成＞
次に図３および図１、図２を用いて、水栓１００の流路構成および水栓本体１１０の内部部品について説明する。
図３は本発明の実施形態である水栓の流路構成図である。
【００２３】
前述のように水栓本体１１０はカウンターＣ上に配置されている。
水栓本体１１０内には、湯水混合弁１１４が配置されており、この湯水混合弁１１４は給水管１２１、給湯管１２２および混合水管１２３と連通している。
なお、水栓本体１１０内には分岐部１１６が設けられており、この分岐部１１６に給水管１２１が接続されている。
これにより、給水源（図示されない）から給水管１２１に供給された水は、分岐部１１６で湯水混合弁１１４に向かう水と浄水流調弁１１５に向かう水とに分流される。
【００２４】
給水管１２１は、分岐部１１６と接続継手Ｊ１の一端との間を接続している。
接続継手Ｊ１の他端には給水源から延びる給水配管ＣＴが接続されている。
すなわち、給水源から湯水混合弁１１４までは給水管１２１と給水配管ＣＴとにより連通されている。
【００２５】
給湯管１２２は、湯水混合弁１１４と接続継手Ｊ２の一端との間とを接続している。
接続継手Ｊ２の他端には給湯源（図示されない）から延びる給湯配管ＨＴが接続されている。
すなわち、給湯源から湯水混合弁１１４までは給湯管１２２と給湯配管ＨＴとにより連通されている。
【００２６】
混合水管１２３は、湯水混合弁１１４とカウンターＣの下に設置された継手部材１５０との間を接続している。
【００２７】
湯水混合弁１１４は、給水源から供給される水ＣＷと給湯源から供給される湯ＨＷを混合し、湯水混合水ＭＷを生成している。
給水源から供給される水ＣＷと給湯源から供給される湯ＨＷの混合は、前述のようにレバー状の湯水混合弁操作部１１４ａを操作することによって行われる。
湯水混合弁１１４によって生成された湯水混合水ＭＷは、混合水管１２３から下流側に排出される。
【００２８】
浄水流調弁１１５の下流側は原水管１２４の一端と接続されており、原水管１２４の他端は接続継手Ｊ３の一端と接続されている。
接続継手Ｊ３の他端は、浄水カートリッジ１３０の上流側と接続されている連結管１３０ａと接続されている。
すなわち、浄水流調弁１１５は浄水カートリッジ１３０と連通している。
浄水カートリッジ１３０の下流側は浄水管１３０ｂを介して継手部材１５０と接続されている。
浄水カートリッジ１３０へ供給される原水（水ＣＷ）の流量は、前述のように回転ハンドル状の浄水流調弁操作部１１５ａによって行われる。
【００２９】
継手部材１５０の下流端にはフレキ管１２５が接続されており、このフレキ管１２５はカウンターＣの取付孔Ｈから水栓本体１１０内に挿通され、水栓本体１１０の吐水口１１３ａと連通している。
【００３０】
すなわち、カウンターＣの取付孔Ｈには、給水管１２１、給湯管１２２、混合水管１２３、原水管１２４、フレキ管１２５の５つの管が挿通されており、この５本の管が「複数の通水管１２０」である。
なお、この複数の通水管１２０の材質については、いずれも金属製である。
【００３１】
＜３．水栓本体の底部構造および水栓本体のカウンターへの固定方法＞
続いて、図４および図２を用いて水栓本体１１０の底部構造および水栓本体１１０のカウンターＣへの固定方法について詳説する。
図４は本発明の実施形態である水栓の要部側面断面図である。
【００３２】
図４に示すように、水栓本体１１０の底部にはシール部となる円環状の発泡パッキン１１７が配置されている。
発泡パッキン１１７の内径はカウンターＣの取付孔Ｈの直径より大きい（すなわち、シール部の直径は取付孔Ｈの直径より大きい）。
水栓本体１１０をカウンターＣに固定した際に、この発泡パッキン１１７が水栓本体１１０の内筒部材１１２とカウンターＣによって挟圧される。
これにより、発泡パッキン１１７の狭圧時にカウンターＣの上部から水が水栓本体１１０の内部およびカウンターＣの取付孔Ｈへ侵入することが抑制されている。
【００３３】
また、図２および図４に示すように、内筒部材１１２の底部には、鉛直下方に延びるリブ１１２ａが複数形成されており、このリブ１１２ａは取付孔Ｈに挿通されている。
リブ１１２ａは発泡パッキン１１７より内側に形成されている。
なお、リブ１１２ａの形成位置については、後に詳述する。
【００３４】
ここで、水栓本体１１０をカウンターＣへの固定方法について説明する。
【００３５】
まず、水栓本体１１０のリブ１１２ａおよび水栓本体１１０に接続された複数の通水管１２０（給水管１２１、給湯管１２２、混合水管１２３、原水管１２４、フレキ管１２５）をカウンターＣの上方から取付孔Ｈに挿入する。
次に、固定プレートに形成された貫通孔（図示せず）に原水管１２４を通す。
その後、原水管１２４にワッシャー１６０、締結部材であるナット１７０の順番で挿通する。
そして、原水管１２４の外周には雄ネジが形成されているため、ナット１７０の内周に形成された雌ネジと螺合する。
そして、ナット１７０を締めていくことで固定プレート１４０がカウンターＣに押し付けられ、水栓本体１１０がカウンターＣに固定される。
なお、この状態で原水管１２４と浄水カートリッジ１３０から延びる連結管１３０ａとを連結したり、継手部材１５０に混合水管１２３、フレキ管１２５、浄水管１３０ｂを接続したりする。
【００３６】
＜４．水栓本体のカウンターの取付孔に対する位置決め＞
続いて、図５および図６を用いて、水栓本体１１０のカウンターＣの取付孔Ｈに対する位置決めについて説明する。
図５は従来例の水栓のカウンターに対する位置関係を示す図であり、図６は本発明の実施形態である水栓のカウンターに対する位置関係を示す図であり、両者ともカウンターＣの下方から見た水栓本体の断面図となっている。
【００３７】
従来例の水栓８００は、本発明の実施形態である水栓１００からリブ１１２ａをなくしたものであり、多くの要素について水栓１００と共通するので、共通する事項については詳しい説明を省略し、下２桁が共通する８００番台の符号を付すのみとする。
【００３８】
リブがない水栓８００では、水栓本体８１０に接続された複数の通水管８２０（給水管８２１、給湯管８２２、混合水管８２３、原水管８２４、フレキ管８２５）をカウンターＣの上方から取付孔Ｈに挿入した際、取り付け方次第では図５に示すように取付孔Ｈの内側に発泡パッキン８１７の外周が位置してしまうことがある。
【００３９】
これに対し、本発明の実施形態である水栓１００では、複数の通水管１２０および水栓本体１１０のリブ１１２ａが、複数の通水管１２０のいずれか１本および水栓本体１１０のリブ１１２ａと外接する仮想外接円Ｐの内側に配置されている。
なお、図６（Ａ）および（Ｂ）では、リブ１１２ａと給湯管１２２とが仮想外接円Ｐに外接しているが、仮想外接円Ｐは給湯管１２２以外の通水管と外接してもよい。
【００４０】
本発明の実施形態である水栓１００のカウンターＣ上での理想的な位置関係である図６（Ａ）に示すように、仮想外接円Ｐの直径はカウンターＣの取付孔Ｈの直径より小さくなっている。
ここで、水栓本体１１０の発泡パッキン１１７の直径が、カウンターＣの取付孔Ｈの直径より大きく、仮想外接円Ｐの直径はカウンターＣの取付孔Ｈの直径より小さいため、水栓本体１１０のリブ１１２ａは発泡パッキン１１７の内側に配置されている。
【００４１】
また、図６（Ｂ）に示すように、水栓本体１１０の発泡パッキン１１７がカウンターＣの取付孔Ｈと上面視において内接した状態であっても、複数の通水管１２０の少なくともいずれか１本または水栓本体１１０のリブ１１２ａ（本実施形態においては給水管１２１および給湯管１２２の２本とリブ１１２ａ）が、カウンターＣの取付孔Ｈと接触する。
これにより、従来例（図５）のように取付孔Ｈの内側に発泡パッキン８１７の外周が位置してしまうことが防止されている。
【００４２】
＜５．作用効果＞
このようにして得られた本発明の実施形態である水栓１００は、水栓本体１１０のシール部である発泡パッキン１１７の直径が、取付基体であるカウンターＣの取付孔Ｈの直径より大きいことにより、水栓本体１１０の発泡パッキン１１７の中心と取付孔Ｈの中心とが一致しているような理想的な状態では、水栓本体１１０によって取付孔Ｈが閉塞される。そして、水栓本体１１０の発泡パッキン１１７の中心と取付孔Ｈの中心とが偏心した場合であっても、基本的には水栓本体１１０によって取付孔Ｈが閉塞される。
また、水栓本体１１０の発泡パッキン１１７がカウンターＣの取付孔Ｈと上面視において内接した状態では、複数の通水管１２０の少なくともいずれか１本または水栓本体１１０のリブ１１２ａが、カウンターＣの取付孔Ｈと接触することにより、水栓本体１１０の発泡パッキン１１７の中心と取付孔Ｈの中心とが、水栓本体１１０の発泡パッキン１１７とカウンターＣの取付孔Ｈとが上面視において内接する程度以上に偏心しない。
したがって、取付孔Ｈの中心と水栓本体１１０の発泡パッキン１１７の中心とが偏心している場合であったり、取付孔Ｈの直径に幅がある場合であったりしたとしても、簡単かつ確実に取付孔Ｈを水栓本体１１０により閉塞することができる。
【００４３】
また、固定プレート１４０が、複数の通水管１２０のいずれか１本と締結部材であるナット１７０との螺合によってカウンターＣに押圧されていることにより、カウンターＣが、水栓本体１１０と固定プレート１４０とにより挟圧される、すなわち複数の通水管１２０のいずれか１本を利用して水栓本体１１０がカウンターＣに固定されるため、水栓本体１１０のカウンターＣへの固定構造を隠蔽することができると共に水栓本体１１０の外径を大きくすることなく水栓本体１１０をカウンターＣに固定することができる。
【００４４】
さらに水栓本体１１０のリブ１１２ａが、複数形成されていることにより、通水管１２０が自らの弾性により仮想外接円Ｐより内側に変形したとしても、水栓本体１１０の発泡パッキン１１７とカウンターＣの取付孔Ｈとが上面視において内接した状態においても水栓本体１１０に形成された複数のリブ１１２ａがカウンターＣの取付孔Ｈと当接するため、確実に取付孔Ｈを水栓本体１１０により閉塞することができる。
【００４５】
また、水栓本体１１０が、外観を形成する外筒部材１１１と、リブ１１２ａを有する内筒部材１１２とを有していることにより、水栓１００の機能部が内筒部材１１２に配置されるようになるため、外筒部材１１１の形状を容易変更にすることができる。
【００４６】
＜６．変形例＞
以上、本発明を実施するための形態について説明したが、本発明は上記に限定されるものではない。
【００４７】
例えば、水栓は本実施形態ではキッチンのカウンターを取付基体としていたが、洗面空間のカウンターを取付基体としてもよい。
【００４８】
混合水管は、樹脂管やゴム管であってもよい。
【００４９】
本実施形態では、原水管に雄ネジを形成していたが、雄ネジを形成する管は金属製の管であればいずれの通水管であってもよい。
【００５０】
シール部は、環状の平パッキン等水密性を保てる部材であれば如何なるものであってもよい。
また、内筒部材の弾性を利用して、内筒部材の底部をシール部として利用してもよい。
【００５１】
また、水栓は水、湯および湯水混合水のみを吐水する水栓（すなわち、浄水を吐水できない水栓）であってもよい。
以下、本発明の実施形態の変形例である浄水なし仕様の水栓の斜視分解図である図７を用いて浄水なし仕様の水栓２００について説明する。
なお、浄水なし仕様の水栓２００は、本発明の実施形態である水栓１００から浄水に係る機能部をなくしたものであり、多くの要素について水栓１００と共通するので、共通する事項については詳しい説明を省略し、下２桁が共通する２００番台の符号を付すのみとする。
【００５２】
水栓２００の水栓本体２１０には、給水管２２１、給湯管２２２、混合水管２２３、フレキ管２２５の４つの管（この４本の管が「複数の通水管２２０」である）および中実の固定棒２１８が挿通されている。
固定棒２１８は、水栓本体１１０内の原水管１２４が挿入されていた箇所に挿入される。
このような構造をとることにより、水栓本体の内部部材を共通化させつつ、浄水の有無のバリエーションを有する水栓を提供することができる。
また、固定棒２１８の外周には雄ネジが形成されており、この固定棒２１８に固定プレート２４０を通すことで、水栓本体２１０をカウンターＣに固定することができる。
【００５３】
このようにして得られた本発明の実施形態の変形例である水栓２００は水栓本体２１０のシール部である発泡パッキン２１７の直径が、取付基体であるカウンターＣの取付孔Ｈの直径より大きいことにより、水栓本体２１０の発泡パッキン２１７の中心と取付孔Ｈの中心とが一致しているような理想的な状態では、水栓本体２１０によって取付孔Ｈが閉塞される。そして、水栓本体２１０の発泡パッキン２１７の中心と取付孔Ｈの中心とが偏心した場合であっても、基本的には水栓本体２１０によって取付孔が閉塞される。
また、水栓本体２１０の発泡パッキン２１７がカウンターＣの取付孔Ｈと上面視において内接した状態では、複数の通水管２２０および中実の固定棒２１８の少なくともいずれか１本または水栓本体２１０のリブ２１２ａが、カウンターＣの取付孔Ｈと接触することにより、水栓本体２１０の発泡パッキン２１７の中心と取付孔Ｈの中心とが、水栓本体２１０の発泡パッキン２１７とカウンターＣの取付孔Ｈとが上面視において内接する程度以上に偏心しない。
したがって、取付孔Ｈの中心と水栓本体２１０の発泡パッキン２１７の中心とが偏心している場合であったり、取付孔Ｈの直径に幅がある場合であったりしたとしても、取付孔Ｈを水栓本体２１０により閉塞することができる。
【００５４】
また、固定プレート２４０が、複数の通水管２２０および中実の固定棒２１８のいずれか１本と締結部材であるナット２７０との螺合によってカウンターＣに押圧されていることにより、カウンターＣが、水栓本体２１０と固定プレート２４０とにより挟圧される、すなわち複数の通水管２２０および中実の固定棒２１８のいずれか１本を利用して水栓本体２１０がカウンターＣに固定されるため、水栓本体２１０のカウンターＣへの固定構造を隠蔽することができると共に水栓本体２１０の外径を大きくすることなく水栓本体２１０をカウンターＣに固定することができる。
【００５５】
さらに、水栓本体２１０のリブ２１２ａが、複数形成されていることにより、通水管２２０が自らの弾性により仮想外接円Ｐより内側に変形したとしても、水栓本体２１０の発泡パッキン２１７とカウンターＣの取付孔Ｈとが上面視において内接した状態においても水栓本体２１０に形成された複数のリブ２１２ａがカウンターＣの取付孔Ｈと当接するため、確実に取付孔Ｈを水栓本体２１０により閉塞することができる。
【００５６】
また、水栓本体２１０が、外観を形成する外筒部材２１１と、リブ２１２ａを有する内筒部材２１２とを有していることにより、水栓の機能部が内筒部材２１２に配置されるようになるため、外筒部材２１１の形状を容易変更にすることができる。
【符号の説明】
【００５７】
１００、  ２００、  ８００  ・・・  水栓
１１０、  ２１０    ８１０  ・・・  水栓本体
１１１、  ２１１、  ８１１  ・・・  外筒部材
１１２、  ２１２、  ８１２  ・・・  内筒部材
１１２ａ、２１２ａ          ・・・  リブ
１１３、  ２１３            ・・・  吐水ヘッド
１１３ａ、２１３ａ          ・・・  吐水口
１１４、  ２１４            ・・・  湯水混合弁
１１４ａ、２１４ａ          ・・・  湯水混合弁操作部
１１５、                    ・・・  浄水流調弁
１１５ａ                    ・・・  浄水流調弁操作部
１１６、  ２１６            ・・・  分岐部
１１７、  ２１７、  ８１７  ・・・  発泡パッキン（シール部）
２１８            ・・・  固定棒
１２０、  ２２０    ８２０  ・・・  通水管
１２１、  ２２１、  ８２１  ・・・  給水管
１２２、  ２２２、  ８２２  ・・・  給湯管
１２３、  ２２３、  ８２３  ・・・  混合水管
１２４、            ８２４  ・・・  原水管
１２５、  ２２５、  ８２５  ・・・  フレキ管
１３０、                    ・・・  浄水カートリッジ
１３０ａ                    ・・・  連結管
１３０ｂ                    ・・・  浄水管
１４０、  ２４０            ・・・  固定プレート
１５０、  ２５０            ・・・  継手部材
１６０、  ２６０            ・・・  ワッシャー
１７０、  ２７０            ・・・  ナット（締結部材）
Ｃ                        ・・・  カウンター（取付基体）
Ｈ                        ・・・  取付孔
Ｊ１、Ｊ２、Ｊ３          ・・・  接続継手
ＣＴ                      ・・・  給水配管
ＨＴ                      ・・・  給湯配管
Ｐ                        ・・・  仮想外接円
ＣＷ                      ・・・  水
ＨＷ                      ・・・  湯
ＭＷ                      ・・・  湯水混合水
【図１】
2020169566.tif 000003
【図２】
2020169566.tif 000004
【図３】
2020169566.tif 000005
【図４】
2020169566.tif 000006
【図５】
2020169566.tif 000007
【図６】
2020169566.tif 000008
【図７】
2020169566.tif 000009